(57)【特許請求の範囲】
【請求項１】
電子部品を有した基板と、この基板を保持して固定する基板の保持構造体において、前記保持構造体を第１の係止手段と第１の摺動手段とを有した第１保持体と、前記第１の係止手段に係合する複数個設けられた第２の係止手段と前記第１の摺動手段に嵌合または当接して摺動する第２の摺動手段とを有した第２保持体とに２分割し、前記第１保持体と第２保持体とがスライド可動して保持構造体を形成できるようにしたことを特徴とする基板の保持構造体。
【請求項２】
第１保持体の第１の係止手段を弾性を有し、一端に爪部を設けた係止片と第１の摺動手段を凹溝部とで構成し、第２保持体の第２係止手段を凹穴と第２摺動手段を凸部とで構成したことを特徴とする請求項１に記載の基板の保持構造体。
【請求項３】
第１保持体の第１の係止手段をＬ型形状爪と第１の摺動手段を階段形状の摺動面とで構成し、第２保持体の第２係止手段を上記Ｌ型形状爪が係合する凹穴と第２摺動手段を上記摺動面に当接する階段形状の摺動面とで構成したことを特徴とする請求項１に記載の基板の保持構造体。
【請求項４】
第１保持体の第１の係止手段を弾性を有した凸型四角すいと第１の摺動手段を凹溝部とで構成し、第２保持体の第２係止手段を凹型四角すいと第２摺動手段を凸部とで構成したことを特徴とする請求項１に記載の基板の保持構造体。
【請求項５】
第１保持体の第１の係止手段を円柱ボスと第１の摺動手段を階段形状の摺動面とで構成し、第２保持体の第２係止手段を上記円柱ボスと係合する丸穴と第２摺動手段を上記摺動面に当接する階段形状の摺動面とで構成したことを特徴とする請求項１に記載の基板の保持構造体。
【発明の詳細な説明】
【０００１】
【発明の属する技術分野】
本発明は電子部品を有した基板を保持して固定する保持構造体に関するものである。
【０００２】
【従来の技術】
図１０は従来の基板の保持構造体である構成を示す斜視図である。図において、２１は保持構造体で、４角に固定用の穴２１ａを設けた長方体形状で構成されている。２２は保持構造体２１に保持される基板で、保持用の穴２２ａを設けて構成されている。２３は基板２２に半田付け（図示せず）にて固定される電気部品Ａ、２４は基板２２に半田付け（図示せず）にて固定される電気部品Ｂ、２５は基板２２を保持構造体２１に締め付けて固定する固定用ネジである。
【０００３】
このように構成された基板の保持構造体の組立は、電子部品Ａ２３と電子部品Ｂ２４とを半田付け（図示せず）にて固定した基板２２の形状に合致した保持構造体２１に、基板２２を保持用の穴２２ａに通した固定用ネジ２５でもって、保持構造体２１の固定用の穴２１ａに締め付けて固定する。
【０００４】
【発明が解決しようとする課題】
以上のように構成された基板の保持構造体は、常に基板形状に一致したものを必要とするために、基板の形状に合致した種々の保持構造体が必要であった。
また、保持構造体の製作費等のコスト増加という問題点があった。
【０００５】
この発明は上記のような問題点を解消するためになされたもので、簡単な構造で種々の基板の形状に対応できるように、スライド可動することができる保持構造体を提供することを目的としている。
【０００６】
【課題を解決するための手段】
この発明に係る基板の保持構造体は、第１の係止手段と第１の摺動手段とを有した第１保持体と、上記第１の係止手段に係合する複数個設けられた第２の係止手段と上記第１の摺動手段に嵌合または当接して摺動する第２の摺動手段とを有した第２保持体とに２分割し、第１保持体と第２保持体とがスライド可動でき、かつ保持構造体が形成できるようにしたものである。
【０００７】
また、第１保持体の第１の係止手段を弾性を有し、一端に爪部を設けた係止片と第１の摺動手段を凹溝部とで構成し、かつ第２保持体の第２係止手段を凹穴と第２摺動手段を凸部とで構成したものである。
【０００８】
さらに、第１保持体の第１の係止手段をＬ型形状爪と第１の摺動手段を階段形状の摺動面とで構成し、かつ第２保持体の第２係止手段を上記Ｌ型形状爪が係合する凹穴と第２摺動手段を上記摺動面に当接する階段形状の摺動面とで構成したものである。
【０００９】
さらにまた、第１保持体の第１の係止手段を弾性を有した凸型四角すいと第１の摺動手段を凹溝部とで構成し、かつ第２保持体の第２係止手段を凹型四角すいと第２摺動手段を凸部とで構成したものである。
【００１０】
また、第１保持体の第１の係止手段を円柱ボスと第１の摺動手段を階段形状の摺動面とで構成し、かつ第２保持体の第２係止手段を上記円柱ボスと係合する丸穴と第２摺動手段を上記摺動面に当接する階段形状の摺動面とで構成したものである。
【００１１】
【発明の実施の形態】
以下、この発明をその実施の形態を示す図面に基づいて具体的に説明する。なお、図において、同一符号は従来のものと同一または相当のものを示す。
【００１２】
実施の形態１．
図１はこの発明の実施の形態である基板の保持構造体の構成を示す斜視図、図２は実施の形態１である基板の保持構造体のＺ部詳細を示す斜視図、図３は図２の係合部詳細を示すＶ−Ｖ断面図である。図において、１は保持構造体で、第１保持体２と第２保持体３との２分割で構成されており、図２に示すように第１保持体２は、各角に基板２２を固定するための固定用穴２ａと弾性を有して一端に爪部を設けた係止片２ｂと摺動可能な凹溝部２ｃとで構成されている。また、第２保持体３は各角に基板２２を固定するための固定用穴３ａと第２保持体２の係止片２ｂに係合する複数個設けられた係止用穴３ｂと第２保持体２の摺動可能な凹溝部２ｃに嵌合する凸部３ｃとで構成されている。その他の構成については、従来例と同様につき説明は省略する。
【００１３】
このように構成された基板の保持構造体の組立は、電子部品Ａ２３と電子部品Ｂ２４とを半田付け（図示せず）にて固定した基板２２の形状に合致するように図３に示す矢印方向Ｅに、第１保持体２の係止片２ｂを押し上げて摺動可能な凹溝部２ｃに嵌合している第２保持体３の凸部３ｃで摺動させながら、係止用穴３ｂに係合するまで移動させる。または、矢印方向Ｆに第１保持体２の係止片２ｂを第２保持体３の係止用穴３ｂより係合をはずして摺動可能な凹溝部２ｃに嵌合している第２保持体３の凸部３ｃで摺動させながら、係止用穴３ｂに係合するまで移動させ保持構造体１を形成して、基板２２を保持用の穴２２ａに通した固定用ネジ２５でもって、保持構造体１の固定用穴２ａおよび３ａに締め付けて固定するので、基板２２の形状に一致させた保持構造体１をスライド可動させるだけで得ることができる。
【００１４】
実施の形態２．
図４は実施の形態２である基板の保持構造体のＺ部詳細を示す斜視図、図５は図４の係合部詳細を示すＷ−Ｗ断面図である。図において、１は保持構造体で、第１保持体２と第２保持体３との２分割で構成されており、図４に示すように第１保持体２は、各角に基板２２を固定するための固定用穴２ａとＬ型形状爪２ｄと階段形状の摺動面２ｅとを対向側にも設けて構成されている。また、第２保持体３は各角に基板２２を固定するための固定用穴３ａと第１保持体２のＬ型形状爪２ｄに係合する複数個設けられた凹穴３ｄと第１保持体２の摺動可能な階段形状の摺動面２ｅに当接する階段形状の摺動面３ｅとを対向側にも設けて構成されている。その他の構成については、従来例と同様につき説明は省略する。
【００１５】
このように構成された基板の保持構造体の組立は、電子部品Ａ２３と電子部品Ｂ２４とを半田付け（図示せず）にて固定した基板２２の形状に合致するように図５に示す矢印方向Ｇに、第１保持体２のＬ型形状爪２ｄを引き上げて階段形状の摺動面２ｅを第２保持体３の階段形状の摺動面３ｅに当接させながら、矢印方向ＨまたはＪ方向に移動させ、Ｌ型形状爪２ｄを第２保持体３の凹穴３ｄに係合させて保持構造体１を形成して、基板２２を保持用の穴２２ａに通した固定用ネジ２５でもって、保持構造体１の固定用穴２ａおよび３ａに締め付けて固定するので、基板２２の形状に一致させた保持構造体１を等ピッチ間隔でスライド可動させて得ることができる。また、Ｌ型形状爪２ｄと凹穴３ｄとの係合部裕度により基板２２の形状ばらつきを吸収して保持固定することができる。
【００１６】
実施の形態３．
図６は実施の形態３である基板の保持構造体のＺ部詳細を示す斜視図、図７は図６の係合部詳細を示すＸ−Ｘ断面図である。図において、１は保持構造体で、第１保持体２と第２保持体３との２分割で構成されており、図６に示すように第１保持体２は、各角に基板２２を固定するための固定用穴２ａと弾性を有した凸型四角すい２ｆと摺動可能な凹溝部２ｃとを対向側にも設けて構成されている。また、第２保持体３は各角に基板２２を固定するための固定用穴３ａと第２保持体２の四角すい２ｆに係合する複数個設けられた凹型四角すい３ｆと第２保持体２の摺動可能な凹溝部２ｃに嵌合する凸部３ｃとを対向側にも設けて構成されている。その他の構成については、従来例と同様につき説明は省略する。
【００１７】
このように構成された基板の保持構造体の組立は、電子部品Ａ２３と電子部品Ｂ２４とを半田付け（図示せず）にて固定した基板２２の形状に合致するように図７に示す矢印方向ＫまたはＬ方向に移動させ、凸型四角すい２ｆを第２保持体３の凹型四角すい３ｆに係合させて保持構造体１を形成して、基板２２を保持用の穴２２ａに通した固定用ネジ２５でもって、保持構造体１の固定用穴２ａおよび３ａに締め付けて固定するので、基板２２の形状に一致させた保持構造体１をスライド可動させるだけで得ることができる。
【００１８】
実施の形態４．
図８は実施の形態４である基板の保持構造体のＺ部詳細を示す斜視図、図９は図８の係合部詳細を示すＹ−Ｙ断面図である。図において、１は保持構造体で、第１保持体２と第２保持体３との２分割で構成されており、図８に示すように第１保持体２は、各角に基板２２を固定するための固定用穴２ａと分割部の近傍に円柱ボス２ｇと階段形状の摺動面２ｅとを対向側にも設けて構成されている。また、第２保持体３は各角に基板２２を固定するための固定用穴３ａと第１保持体２の円柱ボス２ｇに係合する複数個設けられた係止用穴３ｇと第１保持体２の摺動可能な階段形状の摺動面２ｅに当接する階段形状の摺動面３ｅとを対向側にも設けて構成されている。その他の構成については、従来例と同様につき説明は省略する。
【００１９】
このように構成された基板の保持構造体の組立は、電子部品Ａ２３と電子部品Ｂ２４とを半田付け（図示せず）にて固定した基板２２の形状に合致するように図９に示す矢印方向Ｍに、第１保持体２の円柱ボス２ｇを引き上げて階段形状の摺動面２ｅを第２保持体３の階段形状の摺動面３ｅに当接させながら、矢印方向ＮまたはＰ方向に移動させ、円柱ボス２ｇを第２保持体３の係止用穴３ｇに係合させて保持構造体１を形成して、基板２２を保持用の穴２２ａに通した固定用ネジ２５でもって、保持構造体１の固定用穴２ａおよび３ａに締め付けて固定するので、基板２２の形状に一致させた保持構造体１を等ピッチ間隔でスライド可動させて得ることができる。また、円柱ボス２ｇが係止用穴３ｇに所定のスパンで係合するので剛性の高い保持構造体１を形成することができる。
【００２０】
【発明の効果】
この発明に係る基板の保持構造体によれば、第１の係止手段と第１の摺動手段とを有した第１保持体と、上記第１の係止手段に係合する複数個設けられた第２の係止手段と上記第１の摺動手段に嵌合または当接して摺動する第２の摺動手段とを有した第２保持体とに２分割し、第１保持体と第２保持体とがスライド可動して保持構造体が形成できるように構成したので、種々の基板形状に合致した保持構造体をスライド可動させるだけで簡単に得ることができる。
【００２１】
また、第１の係止手段を弾性を有して一端に爪部を設けた係止片および弾性を有した四角すいで構成し、第１と第２の摺動手段を凹溝および凹溝に嵌合する凸部で構成したので、第１保持体と第２保持体とをスライド可動させるだけで種々の基板形状に合致した保持構造体を得ることができるとともに、第１の係止手段の弾性力により第１と第２の摺動手段の凹溝および凸部での嵌合力が増すので、剛性の高い保持構造体を得ることができる。
【００２２】
さらに、第１の係止手段をＬ形状爪で形成し、第２係止手段をＬ形状爪が係合する凹穴で構成したので、Ｌ型形状爪と凹穴との係合部裕度により基板の形状ばらつきを吸収して保持固定が可能な保持構造体を得ることができる。
【００２３】
さらにまた、第１の係止手段を円柱ボスで形成し、第２係止手段を円柱ボスと係合する係止用穴で構成したので、円柱ボスが係止用穴に所定のスパンで係合するので剛性の高い保持構造体を得ることができる。
【図面の簡単な説明】
【図１】  この発明の実施の形態である基板の保持構造体の構成を示す斜視図である。
【図２】  この発明の実施の形態１である基板の保持構造体のＺ部詳細を示す斜視図である。
【図３】  図２の係合部詳細を示すＶ−Ｖ断面図である。
【図４】  この発明の実施の形態２である基板の保持構造体のＺ部詳細を示す斜視図である。
【図５】  図４の係合部詳細を示すＷ−Ｗ断面図である。
【図６】  この発明の実施の形態３である基板の保持構造体のＺ部詳細を示す斜視図である。
【図７】  図６の係合部詳細を示すＸ−Ｘ断面図である。
【図８】  この発明の実施の形態４である基板の保持構造体のＺ部詳細を示す斜視図である。
【図９】  図８の係合部詳細を示すＹ−Ｙ断面図である。
【図１０】  従来の基板の保持構造体である構成を示す斜視図である。
【符号の説明】
１  保持構造体、２  第１保持体、３  第２保持体、２ａ，３ａ  固定用穴
２ｂ  係止片、３ｂ  係止用穴、２ｃ  凹溝部、３ｃ  凸部、２ｄ  Ｌ型形状爪２ｅ，３ｅ  階段形状の摺動面、３ｄ  凹穴、２ｆ  凸型四角すい、
３ｆ  凹型四角すい、２ｇ  円柱ボス、３ｇ  係止用穴、２２  基板、
２３  電子部品Ａ、  ２４  電子部品Ｂ、  ２５  固定用ネジ。
【図１】
0003653894.tif 000002
【図２】
0003653894.tif 000003
【図３】
0003653894.tif 000004
【図４】
0003653894.tif 000005
【図５】
0003653894.tif 000006
【図６】
0003653894.tif 000007
【図７】
0003653894.tif 000008
【図８】
0003653894.tif 000009
【図９】
0003653894.tif 000010
【図１０】
0003653894.tif 000011